(57)【要約】【課題】情報記録媒体のインデックス情報を記録することで、所望の情報を記録している情報記録媒体の特定を容易にする情報記録装置を提供する。【解決手段】ＤＶＤ１０の記録面に記録データを記録するＤＶＤレコーダ１００と、記録データから特定の画像データを抽出する画像データ抽出部（制御ブロック１２６）と、ＤＶＤを識別するための印刷データを生成する印刷データ生成部（制御ブロック）と、ＤＶＤの記録面と反対側の非記録面に印刷データを印刷する印刷ユニット１０４と、非記録面に印刷される印刷データと、記録面に記録される特定の画像データとを関連付けて、ＤＶＤのインデックス情報として記録するＨＤＤドライブ１１６と、ＤＶＤ毎のインデックス情報を表示するために、記録されているインデックス情報を出力するデータ入出力ブロック１０８と、を備える。【選択図】図１
2009259331.tif 000002
【特許請求の範囲】
【請求項１】
情報記録媒体の記録面に記録データを記録する記録部と、
前記記録データから特定の画像データを抽出する画像データ抽出部と、
前記情報記録媒体を識別するための印刷データを生成する印刷データ生成部と、
前記情報記録媒体の記録面と反対側の非記録面に前記印刷データを印刷する印刷部と、
非記録面に印刷される前記印刷データと、記録面に記録される前記特定の画像データとを関連付けて、前記情報記録媒体のインデックス情報として記録するインデックス情報記録部と、
前記情報記録媒体毎の前記インデックス情報を表示するために、記録されている前記インデックス情報を出力するインデックス情報出力部と、
を備える情報記録装置。
【請求項２】
前記画像データ抽出部は、前記記録データに対する画像認識処理および／または音声認識処理の結果に基づいて、前記記録データから前記特定の画像データを抽出する、請求項１に記載の情報記録装置。
【請求項３】
前記印刷データおよび／または前記特定の画像データを圧縮するデータ圧縮部をさらに備え、
前記インデックス情報記録部は、圧縮された前記印刷データおよび／または前記特定の画像データを前記インデックス情報として記録する、請求項１に記載の情報記録装置。
【請求項４】
前記インデックス情報記録部は、非記録面に印刷される前記印刷データと、記録面に記録される前記特定の画像データ、および前記情報記録媒体の管理データとを関連付けて、前記情報記録媒体の前記インデックス情報として記録する、請求項１に記載の情報記録装置。
【請求項５】
検索条件に適合する管理データを前記インデックス情報として有する前記情報記録媒体を検索するためのインデックス情報検索部をさらに備える、請求項４に記載の情報記録装置。
【請求項６】
前記情報記録媒体の前記インデックス情報を他の情報記録装置との間で入出力するインデックス情報入出力部をさらに備える、請求項１に記載の情報記録装置。
【請求項７】
情報記録媒体の記録面に記録データを記録する記録ステップと、
前記記録データから特定の画像データを抽出する画像データ抽出ステップと、
前記情報記録媒体を識別するための印刷データを生成する印刷データ生成ステップと、
前記情報記録媒体の記録面と反対側の非記録面に前記印刷データを印刷する印刷ステップと、
非記録面に印刷される前記印刷データと、記録面に記録される前記特定の画像データとを関連付けて、前記情報記録媒体のインデックス情報として記録するインデックス情報記録ステップと、
前記情報記録媒体毎の前記インデックス情報を表示するために、記録されている前記インデックス情報を出力するインデックス情報出力ステップと、
を含む、情報記録媒体のインデックス情報提供方法。
【発明の詳細な説明】
【技術分野】
【０００１】
本発明は、情報記録装置、および情報記録媒体のインデックス情報提供方法に関する。
【背景技術】
【０００２】
近年、ＣＤ（Compact Disk）、ＤＶＤ（Digital Versatile Disk）など既存の光ディスク記録媒体とともに、ＨＤ−ＤＶＤ（High Definition DVD）、ＢＤ（Blu-ray Disk）など、さらに高密度記録を可能とする光ディスク記録媒体を用いた情報記録装置が普及している。
【０００３】
これら高密度記録を可能とする情報記録媒体を用いた情報記録装置が普及すると、記録されている情報の量は膨大のものとなり、情報を記録されている情報記録媒体の数が増加すると、情報記録媒体を管理することは容易ではない。特に、管理する情報記録媒体の数が増加すると、所望の情報を記録している情報記録媒体を特定することは困難となる。
【０００４】
このため、例えば下記特許文献１、２に記載されるように、情報記録媒体の管理データなどを情報記録媒体の記録面と反対側の非記録面に印刷する装置が知られている。特許文献１、２には、情報記録媒体に記録されている特定の画像データを抽出し、記録されている情報のタイトルなどを示す管理データとともに、情報記録媒体の非記録面に印刷する装置が開示されている。特許文献１、２に記載される装置によれば、記録されている特定の画像データおよび管理データが非記録面に印刷されるので、非記録面に印刷されている画像データおよび管理データを確認することで、所望の情報を記録している情報記録媒体を特定し易くなる。
【発明の開示】
【発明が解決しようとする課題】
【０００５】
しかし、管理する情報記録媒体の数が増加すると、保管場所から情報記録媒体を取出し、非記録面に印刷されている管理データなどを情報記録媒体毎に確認することは非常に煩雑となり、所望の情報を記録している情報記録媒体を特定することが困難となる。
【０００６】
【特許文献１】特開２００４−７４６６６号公報
【特許文献２】特開２００７−３１７３２７号公報
【０００７】
本発明は上記問題点に鑑みてなされたものであり、その目的は、情報記録媒体のインデックス情報を記録することで、所望の情報を記録している情報記録媒体の特定を容易にする、新規かつ改良された情報記録装置および情報記録媒体のインデックス情報提供方法を提供することにある。
【課題を解決するための手段】
【０００８】
上記課題を解決するために、本発明のある観点によれば、情報記録媒体の記録面に記録データを記録する記録部と、記録データから特定の画像データを抽出する画像データ抽出部と、情報記録媒体を識別するための印刷データを生成する印刷データ生成部と、情報記録媒体の記録面と反対側の非記録面に印刷データを印刷する印刷部と、非記録面に印刷される印刷データと、記録面に記録される特定の画像データとを関連付けて、情報記録媒体のインデックス情報として記録するインデックス情報記録部と、情報記録媒体毎のインデックス情報を表示するために、記録されているインデックス情報を出力するインデックス情報出力部と、を備える情報記録装置が提供される。
【０００９】
かかる構成によれば、情報記録媒体に印刷される印刷データと、情報記録媒体に記録される特定の画像データとが関連付けられて、情報記録媒体のインデックス情報として記録され、情報記録媒体毎のインデックス情報が出力されて表示される。これにより、情報記録媒体毎に表示されるインデックス情報を用いて、特定の画像データから情報記録媒体に記録されている情報を確認し、特定の画像データに関連付けられている印刷データから所望の情報を記録している情報記録媒体を容易に特定することができる。よって、従来のように、保管場所から情報記録媒体を取出し、非記録面に印刷されている管理データなどを情報記録媒体毎に確認せずとも、所望の情報を記録している情報記録媒体を容易に特定することができる。
【００１０】
また、上記画像データ抽出部は、記録データに対する画像認識処理および／または音声認識処理の結果に基づいて、記録データから特定の画像データを抽出してもよい。これにより、記録されている情報の確認に適した画像データを抽出してインデックス情報の一部として記録することができる。
【００１１】
また、上記印刷データおよび／または特定の画像データを圧縮するデータ圧縮部をさらに備え、インデックス情報記録部は、圧縮された印刷データおよび／または特定の画像データをインデックス情報として記録してもよい。これにより、インデックス情報を記録するための記録容量を低減することができる。
【００１２】
また、上記インデックス情報記録部は、非記録面に印刷される印刷データと、記録面に記録される特定の画像データ、および情報記録媒体の管理データとを関連付けて、情報記録媒体のインデックス情報として記録してもよい。これにより、印刷データおよび画像データと併せて、所望の情報記録媒体をさらに容易に特定することができる。
【００１３】
また、検索条件に適合する管理データをインデックス情報として有する情報記録媒体を検索するためのインデックス情報検索部をさらに備えてもよい。これにより、インデックス情報の表示と併せて、所望の情報記録媒体をさらに容易に特定することができる。
【００１４】
また、上記情報記録媒体のインデックス情報を他の情報記録装置との間で入出力するインデックス情報入出力部をさらに備えてもよい。これにより、インデックス情報を情報提供装置間で容易に共有および承継することができる。
【００１５】
上記課題を解決するために、本発明の他の観点によれば、情報記録媒体の記録面に記録データを記録する記録ステップと、記録データから特定の画像データを抽出する画像データ抽出ステップと、情報記録媒体を識別するための印刷データを生成する印刷データ生成ステップと、情報記録媒体の記録面と反対側の非記録面に印刷データを印刷する印刷ステップと、非記録面に印刷される印刷データと、記録面に記録される特定の画像データとを関連付けて、情報記録媒体のインデックス情報として記録するインデックス情報記録ステップと、情報記録媒体毎のインデックス情報を表示するために、記録されているインデックス情報を出力するインデックス情報出力ステップと、を含む、情報記録媒体のインデックス情報提供方法が提供される。
【００１６】
かかる方法によれば、情報記録媒体に印刷される印刷データと、情報記録媒体に記録される特定の画像データとが関連付けられて、情報記録媒体のインデックス情報として記録され、記録されている情報記録媒体毎のインデックス情報が出力されて表示される。これにより、情報記録媒体毎に表示されるインデックス情報を用いて、特定の画像データから情報記録媒体に記録されている情報を確認し、特定の画像データに関連付けられている印刷データから所望の情報を記録している情報記録媒体を容易に特定することができる。
【発明の効果】
【００１７】
本発明によれば、情報記録媒体のインデックス情報を記録することで、所望の情報を記録している情報記録媒体の特定を容易にする、情報記録装置および情報記録媒体のインデックス情報提供方法を提供することができる。
【発明を実施するための最良の形態】
【００１８】
以下に、添付した図面を参照しながら、本発明の好適な実施形態について詳細に説明する。なお、本明細書および図面において、実質的に同一の機能構成を有する構成要素については、同一の符号を付することにより重複説明を省略する。
【００１９】
（システムの構成）
図１は、本発明の一実施形態に係る情報記録装置を含むシステムの構成を示す説明図である。本システムは、情報記録装置、および情報記録装置に接続可能な映像出力装置を含んで構成される。映像出力装置は、情報記録装置と別体で設けられてもよく、情報記録装置と一体で設けられてもよい。
【００２０】
情報記録装置は、例えば、ＣＤ、ＤＶＤ、ＨＤ−ＤＶＤ、ＢＤなどの光ディスク記録媒体を用いる光ディスク記録装置であるが、以下では、ＤＶＤレコーダ１００を一例として説明する。映像出力装置は、接続ケーブル、有線／無線の通信回線などを通じて情報記録装置に接続可能な、例えば、モニタ、ディスプレイなどであるが、以下では、モニタ１５０を一例として説明する。なお、映像出力装置は、情報記録装置と一体で設けられる場合には、例えば、ＤＶＤレコーダ１００の表示パネルなどとして設けられてもよい。
【００２１】
ＤＶＤレコーダ１００は、ＤＶＤ１０の記録面に対して、例えば、静止画像（写真）データ、動画像（映像）データ、音声データ、テキストデータなどを記録データとして記録する。ＤＶＤレコーダ１００は、記録面と反対側の非記録面に対して、ＤＶＤ１０を識別するために、例えば、文字データ、記号データ、画像データなどの可視情報（レーベル情報とも称する。）を印刷データとして印刷する機能を有する。
【００２２】
図１に示す例では、ＤＶＤレコーダ１００は、例えば、ＤＶＤａ１２に対して、記録面に画像データＤａ１、Ｄａ２、Ｄａ３、…を記録データとして記録し、非記録面にレーベル情報Ｌａを印刷データとして印刷する。同様に、ＤＶＤレコーダ１００は、ＤＶＤｂ１４に対して、記録面に画像データＤｂ１、Ｄｂ２、Ｄｂ３、…を記録データとして記録し、非記録面にレーベル情報Ｌｂを印刷データとして印刷する。
【００２３】
本実施形態に係るＤＶＤレコーダ１００は、ＤＶＤ１０の特定に用いるインデックス情報を記録するインデックス情報記録部１４０を有する。ここで、インデックス情報は、非記録面に印刷されるレーベル情報と、記録面に記録される特定の画像データ（および選択的に他の管理データ）とを関連付けてＤＶＤ１０毎に記録した情報である。
【００２４】
図１に示す例では、ＤＶＤａ１２のインデックス情報として、レーベル情報Ｌａと、画像データＤａ１、Ｄａ２、Ｄａ３、…に含まれる特定の画像データＤａｘ１、Ｄａｘ２とが関連付けて記録されている。また、ＤＶＤｂ１４のインデックス情報として、レーベル情報Ｌｂと、画像データＤｂ１、Ｄｂ２、Ｄｂ３、…に含まれる特定の画像データＤｂｙ１、Ｄｂｙ２とが関連付けて記録されている。なお、インデックス情報は、少なくとも１つ以上の特定の画像データを含む。
【００２５】
本実施形態に係るＤＶＤレコーダ１００は、ＤＶＤ１０の特定に用いるインデックス情報を表示するために、インデックス情報をモニタ１５０に出力する。ここで、インデックス情報は、ＤＶＤレコーダ１００により、ユーザ操作に応じて、または自動的にモニタ１５０に出力される。
【００２６】
図１に示す例では、ＤＶＤａ１２およびＤＶＤｂ１４のインデックス情報として、レーベル情報Ｌａおよび画像データＤａｘ１、Ｄａｘ２、およびレーベル情報Ｌｂおよび特定の画像データＤｂｙ１、Ｄｂｙ２が一覧形式で表示されている。なお、図１には、ＤＶＤａ１２およびＤＶＤｂ１４の２つのＤＶＤ１０を対象とする場合が示されているが、３つ以上のＤＶＤ１０を対象とする場合も同様に説明される。
【００２７】
これにより、ユーザは、ＤＶＤ１０毎に表示されるインデックス情報を用いて、特定の画像データからＤＶＤ１０に記録されている情報を確認し、特定の画像データに関連付けられているレーベル情報から所望の情報を記録しているＤＶＤ１０を容易に特定することができる。
【００２８】
（ＤＶＤレコーダの構成）
図２は、本発明の一実施形態に係るＤＶＤレコーダ１００の構成を示す説明図である。ＤＶＤレコーダ１００は、ＤＶＤドライブ１０２、印刷ユニット１０４、チューナブロック１０６、データ入出力ブロック１０８、ビデオデコーダ１１０、オーディオデコーダ１１２、ＡＶエンコーダ１１４、ＨＤ（Hard Disk）ドライブ１１６、ＲＭ（Removable Memory）ドライブ１１８、リモコンＩ／Ｆ（Interface）１２０、画像認識処理ブロック１２２、音声認識処理ブロック１２４、制御ブロック１２６を含んで構成される。これらの構成要素は、バス１３６を通じて相互に接続されている。
【００２９】
ＤＶＤドライブ（記録部）１０２は、光ピックアップを用いて、ＤＶＤレコーダ１００に装着されているＤＶＤ１０の記録面に対して映像／音声データを記録および／または再生する。なお、ＤＶＤドライブ１０２は、データ記録機能のみを有し、データ再生機能を有していなくてもよい。印刷ユニット（印刷部）１０４は、印刷ヘッドを用いて、ＤＶＤレコーダ１００に装着されているＤＶＤ１０の非記録面に対してレーベル情報を印刷する。
【００３０】
チューナブロック１０６は、アンテナを介して所望のチャンネルの放送信号を受信し、放送信号を映像信号および音声信号に分離する。
【００３１】
外部入出力ブロック１０８は、接続ケーブル、通信回線などを通じて、例えば、カムコーダ、スチルカメラなどとの間で映像／音声信号を入出力する。以下では、例えばカムコーダなどとの間で外部入出力ブロック１０８を介して映像／音声信号を入出力する場合について説明するが、画像信号を入出力する場合についても、若干の構成要素の変更を伴うが、同様に説明される。
【００３２】
外部入出力ブロック１０８は、インデックス情報を表示するために、例えばモニタ１５０などにインデックス情報を出力するインデックス情報出力部として機能する。また、外部入出力ブロック１０８は、接続ケーブル、通信回線などを介して、インデックス情報を図示されていない他のＤＶＤレコーダ１００’との間で入出力するためのインデックス情報入出力部として機能する。
【００３３】
ビデオデコーダ１１０は、チューナブロック１０６により分離された映像信号、外部入出力ブロック１０８により入力された映像信号、またはＤＶＤドライブ１０２により読出された映像信号に対して復号処理などの映像処理を行う。そして、ビデオデコーダ１１０は、映像処理を施した映像信号を所定の映像信号に変換して、モニタ１５０などの映像出力装置に出力する。
【００３４】
オーディオデコーダ１１２は、チューナブロック１０６により分離された音声信号、外部入出力ブロック１０８により入力された音声信号、またはＤＶＤドライブ１０２により読出された音声信号に対して復号処理などの音声処理を行う。そして、オーディオデコーダ１１２は、音声処理を施した音声信号を所定の音声信号に変換して、スピーカなどの音声出力装置に出力する。
【００３５】
ＡＶエンコーダ１１４は、ビデオデコーダ１１０により映像処理を施された映像信号、およびオーディオデコーダ１１２により音声処理を施された音声信号を、ＤＶＤドライブ１０２を用いてＤＶＤ１０に書込み可能な所定の映像音声信号（ＡＶデータ）に変換する。
【００３６】
ＨＤドライブ（インデックス情報記録部）１１６は、図１に示すインデックス情報記録部１４０に相当し、図示されていないＨＤドライブ用Ｉ／Ｆを介してバス１３６に接続され、ＨＤに対してインデックス情報などのデータの書込みおよび読出しを行う。インデックス情報は、レーベル情報に、特定の画像データ（および選択的に管理データ）を関連付けて、ＤＶＤ１０毎に記録される。なお、ＨＤドライブ１１６は、インデックス情報などのデータの書込みおよび読出しを行う記録装置の一例であり、ＨＤドライブ１１６の代わりに、他の記録／記憶装置が用いられてもよい。
【００３７】
ＲＭドライブ１１８は、図示されていないＲＭメモリＩ／Ｆを介してバス１３６に接続され、ＲＭメモリに対してインデックス情報などのデータの書込みおよび読出しを行う。ＲＭドライブ１１８は、ＲＭを介して、インデックス情報を他のＤＶＤレコーダ１００’との間で入出力するためのインデックス情報入出力部として機能する。
【００３８】
リモコンＩ／Ｆ１２０は、図示されていないＵ／Ｉ制御ブロックを介してバス１３６に接続され、ＤＶＤレコーダ１００に付属のリモコン１３４から制御信号を受信し、Ｕ／Ｉ制御ブロックは、制御信号に基づいて、各種ユーザインタフェースを制御する。
【００３９】
画像認識処理ブロック１２２は、映像データに含まれる画像データに対して各種の画像認識処理を行う。画像認識処理の一例としては、画像のパターンマッチングなどの技術を用いて、画像データに含まれる画像を判別することなどが挙げられる。音声認識処理ブロック１２４は、音声データに対して各種の音声認識処理を行う。音声認識処理の一例としては、特定の周波数、特徴的な波形を伴う音声から、話者の性別、年齢、感情を判別することなどが挙げられる。
【００４０】
制御ブロック１２６は、他の構成要素を制御することでＤＶＤレコーダ１００全体の機能を制御するＣＰＵ１２８と、ＣＰＵ１２８の作業用データなどを記憶するＲＡＭ１３０と、ＣＰＵ１２８上で実行されるプログラムなどを記憶するＲＯＭ１３２とを含んで構成される。
【００４１】
制御ブロック１２６は、記録データから特定の画像データを抽出する画像データ抽出部として機能し、画像認識処理ブロック１２２および／または音声認識処理ブロック１２４による処理結果に基づいて、記録データから特定の画像データを抽出してもよい。制御ブロック１２６は、ＤＶＤ１０を識別するための印刷データ（レーベル情報）を生成する印刷データ生成部として機能する。また、制御ブロック１２６は、インデックス情報に含まれるデータを圧縮（伸長）するデータ圧縮（伸長）部、インデックス情報に含まれる管理データに基づいてＤＶＤ１０の検索処理を行うインデックス情報検索部として機能する。
【００４２】
（情報記録媒体のインデックス情報提供方法）
図３は、本発明の一実施形態に係る情報記録媒体のインデックス情報提供方法の流れを示すフロー図である。ＤＶＤレコーダ１００は、ユーザからのデータ記録指示に応じて、ＤＶＤドライブ１０２を制御することで、ＤＶＤ１０の記録面に対して映像／音声データ（画像データ）を記録する（ステップＳ１０２）。映像／音声データは、例えば、チューナブロック１０６により受信された放送信号に基づく映像／音声データ、外部入出力ブロック１０８により入力された映像／音声データなどである。なお、映像／音声データは、受信または入力されて所定の処理を施された上で、順次にＤＶＤ１０に記録されてもよく、受信もしくは入力された後、または、さらに所定の処理を施された後に、例えば、ＨＤに一時的に記録された上で、または図示されていないバッファメモリなどに一時的に記憶された上で、ＤＶＤ１０に記録されてもよい。
【００４３】
ＤＶＤレコーダ１００は、ユーザからのレーベル印刷指示に応じて、レーベル情報を生成し（Ｓ１０４）、印刷ユニット１０４を制御することで、ＤＶＤ１０の非記録面に対してレーベル情報を印刷する（Ｓ１０６）。レーベル情報は、ＤＶＤ１０を識別するための情報であり、例えば、記録されている映像／音声データのタイトルなどを表す文字・記号情報（管理データ）、所定の画像情報、映像／音声データに関連する画像情報などである。レーベル情報は、ＤＶＤレコーダ１００により自動生成されてもよく、リモコン１３４を介したユーザの選択／入力操作に応じて生成されてもよい。レーベル情報を生成すると、ＤＶＤレコーダ１００は、レーベル情報をＨＤに記録し、またはバッファメモリなどに一時的に記憶し、ＤＶＤ１０の非記録面に対してレーベル情報を印刷する。
【００４４】
ＤＶＤレコーダ１００は、ＤＶＤ１０の記録面に記録する映像データから特定の映像フレーム（画像データ）を抽出する（Ｓ１０８）。特定の画像データは、少なくとも１つの静止画像データとして抽出されてもよく、所定の期間に渡る一連の映像フレームからなる動画像データとして抽出されてもよい。
【００４５】
特定の画像データは、ＤＶＤレコーダ１００により自動的に抽出されてもよく、例えば映像データのサムネイルに基づいてユーザにより選択されて抽出されてもよい。また、ＤＶＤレコーダ１００による抽出とユーザによる選択を組合せて抽出されてもよく、この場合、ＤＶＤレコーダ１００により抽出された画像データからユーザにより選択されてもよく、ユーザにより選択された画像データからＤＶＤレコーダ１００により抽出されてもよい。ＤＶＤレコーダ１００による抽出には、映像フレーム（画像データ）の画像認識処理、映像フレーム（画像データ）と同期して記録される音声データの音声認識処理の結果を利用することができる。
【００４６】
画像データの画像認識処理の結果を利用する場合、例えば、人物の顔画像のアップを含む画像データ、少数の人物の画像を含む画像データ、大勢の人物の画像を含む画像データなど、所定の条件を満たす画像データを抽出してもよい。また、識別性の高い画像データを抽出するために、例えば、顔全体の画像を含む画像データ、人物全体の画像を含む画像データ、顔全体、人物全体の画像が画像全体の中央に配置されている画像データなどを抽出してもよい。音声データの音声認識処理の結果を利用する場合、例えば、話声を含む音声データと同期して記録される画像データ、笑い声、特定の掛け声（例えば、「ハイチーズ」など）を含む音声データと同期して記録される画像データなどを抽出してもよい。
【００４７】
これにより、画像認識処理および／または音声認識処理の結果に基づいて、特定の画像データが抽出されるので、記録されている情報の確認に適した画像データを抽出してインデックス情報の一部として記録することができる。
【００４８】
ＤＶＤレコーダ１００は、ＤＶＤ１０の非記録面に印刷されるレーベル情報、およびＤＶＤ１０の記録面に記録される特定の画像データを関連付けて、ＤＶＤ１０毎のインデックス情報としてＨＤに記録する（Ｓ１１０）。ここで、レーベル情報および／または特定の画像データは、元データを低解像度処理した上で記録されてもよい。また、レーベル情報および／または特定の画像データは、圧縮された状態で記録されてもよい。
【００４９】
これにより、印刷データおよび／または特定の画像データが圧縮されて記録されるので、インデックス情報を記録するための記録容量を低減することができる。
【００５０】
ＤＶＤレコーダ１００は、ユーザ操作に応じて、または自動的に、ＨＤに記録されているインデックス情報をモニタ１５０に出力する（Ｓ１１２）。なお、インデックス情報に含まれるレーベル情報および／または特定の画像データが圧縮された状態で記録されている場合には、モニタ１５０側の仕様に応じて、インデックス情報は、圧縮された状態または伸長された状態でモニタ１５０に出力される。
【００５１】
なお、上記処理Ｓ１０２〜Ｓ１１０は、処理Ｓ１０４の後に処理Ｓ１０６が行われ、処理Ｓ１０８の後に処理Ｓ１１０が行われ、処理Ｓ１０４およびＳ１０８の後に処理Ｓ１１０が行われる限りにおいて、相互に順序を入れ替えて行われてもよい。
【００５２】
（インデックス情報）
図４は、インデックス情報の一例を示す説明図である。図４には、チューナブロック１０６により受信された放送信号に基づく番組の映像／音声信号を記録したＤＶＤａのインデックス情報１４２、および、外部入出力ブロック１０８により入力された映像／音声データを記録したＤＶＤｂのインデックス情報１４４が示されている。なお、図４には、ＤＶＤ１０毎に１つの番組または１つの撮影イベントの映像／音声データを記録する場合が示されているが、ＤＶＤ１０毎に複数の番組および／または複数の撮影イベントを記録する場合についても、基本的に同様に説明される。
【００５３】
図４に示すように、インデックス情報は、ａ）映像／音声データの記録日、ｂ）タイトル、ｃ）元データの記録日（撮影日）、ｄ）記録時間、ｅ）ＥＰＧ（Electronic Program Guide）情報、ｆ）記録機器情報、ｇ）フォーマット情報、ｈ）インデックス用データ、ｉ）ユーザデータなどのインデックス項目からなる。ここで、ｈ）インデックス用データ以外の情報は、前述した管理データに相当する情報である。
【００５４】
インデックス項目ａ）は、映像／音声データがＤＶＤに記録された日を示す情報であり、インデックス項目ｂ）は、映像／音声データのタイトルを示す情報である。インデックス項目ａ）、ｂ）は、ＤＶＤレコーダ１００により作成されてもよく、ユーザにより入力／選択された上で作成されてもよい。
【００５５】
インデックス項目ｃ）は、元データとなる映像／音声データの記録日（撮影日）を示す情報であり、インデックス項目ｄ）は、映像／音声データの記録時間を示す情報である。インデックス項目ｃ）、ｄ）は、チューナブロック１０６により受信された放送信号に基づく映像／音声信号を記録する場合には、ＤＶＤレコーダ１００により作成され、外部入出力ブロック１０８により入力された映像／音声データを記録する場合には、例えばカムコーダなどにより作成される。
【００５６】
インデックス項目ｅ）は、番組の映像／音声信号とともにチューナブロック１０６により受信される電子番組案内（ＥＰＧ）情報から抽出された情報であり、例えば、番組のチャンネル、放送日時、放送時間、ジャンル、サブジャンル、出演者などの情報を含む。インデックス項目ｅ）は、ＤＶＤレコーダ１００によりＥＰＧ情報に基づいて作成される。
【００５７】
インデックス項目ｆ）は、ＤＶＤレコーダ１００を識別するための識別情報であり、例えば、ＤＶＤレコーダ１００の型番、ネットワークアドレスなどの情報を含む。インデックス項目ｇ）は、ＤＶＤ１０の記録フォーマットを示す情報であり、例えば、ＤＶＤ１０の種類、記録データの形式などの情報を含む。インデックス項目ｆ）、ｇ）は、ＤＶＤレコーダ１００により作成される。
【００５８】
インデックス項目ｈ）は、主要なインデックス用データとして利用される情報であり、ＤＶＤ１０の非記録面に印刷されるレーベル情報の識別子、ならびにＤＶＤ１０の記録面に記録される画像データから抽出された動画像（ダイジェスト画像）／静止画像（サムネイル）データの識別子などの情報を含む。インデックス項目ｈ）は、前述した画像データの抽出／選択処理に基づいてＤＶＤレコーダ１００により作成される。なお、レーベル情報の識別子を付与されたレーベル情報（選択的に文字、記号情報を含む画像データ）自体、および動画像／静止画像データの識別子を付与された動画像／静止画像データ自体もインデックス情報の一部として記録される。
【００５９】
インデックス項目ｉ）は、ユーザデータであり、例えば、記録されている映像／音声データの視聴回数、お気に入り度、コメント、ＤＶＤ１０の保管場所などの情報を含む。インデックス項目ｉ）のうち視聴回数は、映像／音声データ毎の再生回数を示す情報であり、お気に入り度は、複数のＤＶＤ１０の再生回数を示す情報に基づいて算出される情報であり、ＤＶＤレコーダ１００により作成される。また、インデックス項目ｉ）のうちコメントおよびＤＶＤ１０の保管場所は、ユーザにより入力／選択された上で作成される。
【００６０】
ＤＶＤレコーダ１００は、例えば、記録レコードとしてインデックス項目ａ）〜ｉ）を含み、レーベル情報および特定の画像データ（動画像／静止画像データ）を含むインデックス情報をＤＶＤ１０毎にＨＤに記録する。
【００６１】
これにより、レーベル情報および画像データと併せて、ＤＶＤ１０の管理データがインデックス情報の一部として記録されるので、所望のＤＶＤ１０をさらに容易に特定することができる。
【００６２】
（インデックス情報の表示例）
図５、図６は、インデックス情報の表示例を示す説明図である。図５には、インデックス情報として静止画像データを表示する場合の表示例１５２が示され、図６には、動画像データを表示（再生）する場合の表示例１５４が示されている。
【００６３】
図５に示す表示例１５２では、レーベル情報、タイトル、記録日、静止画像データ、およびコメントを所定の表示項目として、ＤＶＤａ、ＤＶＤｂ、ＤＶＤｃのインデックス情報が一覧形式で表示されている。ＤＶＤａのインデックス情報としては、レーベル情報Ｌａ、タイトル、記録日、静止画像データＳａｘ１、Ｓａｘ２、Ｓａｘ３、コメントが表示されている。また、ＤＶＤｂおよびＤＶＤｃのインデックス情報としては、同様に、レーベル情報ＬｂおよびＬｃ、タイトル、記録日、静止画像データＳｂｙ１、Ｓｂｙ２、Ｓｂｙ３、およびＳｃｚ１、Ｓｃｚ２、Ｓｃｚ３、コメントが各々に表示されている。
【００６４】
ここで、図４で説明したインデックス情報のうち、タイトル、記録日は、インデックス項目ｂ）、ｃ）に各々に相当する情報であり、レーベル情報、静止画像データは、インデックス項目ｈ）に含まれる識別子を付与された情報であり、コメントは、インデックス項目ｉ）に含まれる情報である。
【００６５】
なお、図５、図６に示す表示例１５２、１５４は、あくまでも一例として示すものであるので、異なる表示項目、表示レイアウトなどを用いてもよい。また、図５、図６に示す表示例１５２、１５４においては、リモコン操作に応じて、特定のＤＶＤ１０に関する表示項目以外の管理データを表示してもよい。
【００６６】
また、図５に示す表示例１５２には、検索キーワードを入力するためのキーワード入力欄１５６が表示されている。キーワード入力欄１５６には、テキストデータを入力することが可能であり、入力されたテキストデータを記録レコード（例えば、図４に示すインデックス項目ａ）〜ｇ）およびｉ））の一部に含むＤＶＤ１０を検索することができる。図５に示す例では、例えば、検索キーワードとして「遊園地」が入力されている。
【００６７】
ユーザが検索キーワードを入力して検索処理が開始されると、ＤＶＤレコーダ１００は、ＨＤに記録されているインデックス情報を検索し、記録レコードの一部に検索キーワードを含むＤＶＤ１０を特定する。そして、特定されたＤＶＤ１０のインデックス情報から所定の表示項目に該当する情報を抽出し、一覧形式で表示する。図５に示す表示例１５２では、例えば、検索キーワード「遊園地」をインデックス項目ｂ）に含むＤＶＤａ、ＤＶＤｂ、ＤＶＤｃが特定され、ＤＶＤａ、ＤＶＤｂ、ＤＶＤｃのインデックス情報から所定の表示項目に該当する情報（レーベル情報、タイトル、記録日、静止画像データ、コメント）が抽出され、一覧形式で表示されている。
【００６８】
図６に示す表示例１５４では、静止画像データの代わりに動画像データを表示項目としている。ＤＶＤａ、ＤＶＤｂ、およびＤＶＤｃのインデックス情報は、動画像データＭａｘ、Ｍｂｙ、およびＭｃｚを含み、各動画像データ（および選択的に動画像データと同期して記録されている音声データ）が再生されて映像（音声）出力装置上に表示される。なお、検索キーワードに基づく検索処理については、図５に示す表示例１５２の場合と同様であるので、重複する説明は省略する。
【００６９】
これにより、インデックス情報を表示するのみならず、検索キーワードに適合する管理データをインデックス情報として有するＤＶＤ１０が検索されるので、所望のＤＶＤ１０をさらに容易に特定することができる。
【００７０】
また、ＨＤに記録されているインデックス情報は、外部入出力ブロック１０８および／またはＲＭドライバ１１８を用いて、図示していない他のＤＶＤレコーダ１００’との間で入出力される。これは、例えば、ユーザがＤＶＤレコーダ１００’の追加、変更を行う場合に、ＤＶＤレコーダ１００、１００’間でインデックス情報を共有、承継する場合に利用される。
【００７１】
外部入出力ブロック１０８を用いてインデックス情報を入出力する場合には、ＤＶＤレコーダ１００、１００’の外部入出力ブロック１０８、１０８’同士を、接続ケーブル、通信回線などで接続した上で、一方のＤＶＤレコーダ１００のＨＤから他方のＤＶＤレコーダ１００’のＨＤにインデックス情報が出力される。また、ＲＭドライバ１１８を用いてインデックス情報を入出力する場合には、出力側となるＤＶＤレコーダ１００のＲＭドライバ１１８にＲＭを装着した状態で、ＨＤからＲＭにインデックス情報が複写／移動され、当該ＲＭを入力側となる他のＤＶＤレコーダ１００’のＲＭドライバ１１８’に装着した状態で、当該ＲＭからＨＤにインデックス情報が複写／移動される。
【００７２】
これにより、ＤＶＤ１０のインデックス情報が他のＤＶＤレコーダ１００’との間で入出力されるので、インデックス情報をＤＶＤレコーダ１００、１００’間で容易に共有および承継することができる。
【００７３】
以上説明したように、本実施形態に係る情報記録装置および情報記録媒体の特定方法によれば、ＤＶＤ１０毎に表示されるインデックス情報を用いて、特定の画像データからＤＶＤ１０に記録されている情報を確認し、特定の画像データに関連付けられているレーベル情報から所望の情報を記録しているＤＶＤ１０を容易に特定することができる。よって、従来のように、保管場所からＤＶＤ１０を取出し、非記録面に印刷されている管理データなどをＤＶＤ１０毎に確認せずとも、所望の情報を記録しているＤＶＤ１０を容易に特定することができる。
【００７４】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【図面の簡単な説明】
【００７５】
【図１】本発明の一実施形態に係る情報記録装置を含むシステムの構成を示す説明図である。
【図２】本発明の一実施形態に係るＤＶＤレコーダの構成を示す説明図である。
【図３】本発明の一実施形態に係る情報記録媒体のインデックス情報提供方法の流れを示すフロー図である。
【図４】インデックス情報の一例を示す説明図である。
【図５】インデックス情報の表示例を示す説明図である。
【図６】インデックス情報の表示例を示す説明図である。
【符号の説明】
【００７６】
１００    ＤＶＤレコーダ
１０２    ＤＶＤドライブ
１０４    印刷ユニット
１０８    データ入出力ブロック
１１６    ＨＤＤドライブ
１２６    制御ブロック
【図１】
2009259331.tif 000003
【図２】
2009259331.tif 000004
【図３】
2009259331.tif 000005
【図４】
2009259331.tif 000006
【図５】
2009259331.tif 000007
【図６】
2009259331.tif 000008